(57)【要約】      （修正有）【課題】複数の加熱コイルに高周波電流を流すことができる安価で高効率な電磁誘導加熱装置を提供する。【解決手段】電磁誘導加熱調理器は、ＩＨユニット１と、ＩＨユニット載置台２からなり、ＩＨユニットは、トッププレート１１と、トッププレートの下方に設けられた加熱コイルと、加熱コイルに高周波電流を供給するインバータ実装回路と、商用電源から第一の電圧の電力が入力される第一の電源接続コネクタと、第二の電圧の電力が入力される第二の電源接続コネクタと、を有し、ＩＨユニット載置台は、商用電源から第二の電圧の電力が入力される第三の電源接続コネクタと、第二の電源接続コネクタに第二の電圧の電力を出力する第四の電源接続コネクタと、を有し、ＩＨユニットをＩＨユニット載置台から分離して使用するときは、商用電源から第一の電源接続コネクタを介して入力された電力を用いてインバータ実装回路を駆動する電磁誘導加熱調理器。【選択図】図１
2018006287.tif 000002
【特許請求の範囲】
【請求項１】
ＩＨユニットと、ＩＨユニット載置台からなる電磁誘導加熱調理器において、
前記ＩＨユニットは、トッププレートと、該トッププレートの下方に設けられた加熱コイルと、該加熱コイルに高周波電流を供給するインバータ実装回路と、商用電源から第一の電圧の電力が入力される第一の電源接続コネクタと、第二の電圧の電力が入力される第二の電源接続コネクタと、を有し、
前記ＩＨユニット載置台は、商用電源から第二の電圧の電力が入力される第三の電源接続コネクタと、前記第二の電源接続コネクタに第二の電圧の電力を出力する第四の電源接続コネクタと、を有し、
前記ＩＨユニットを前記ＩＨユニット載置台から分離して使用するときは、商用電源から前記第一の電源接続コネクタを介して入力された電力を用いて前記インバータ実装回路を駆動し、
前記ＩＨユニットを前記ＩＨユニット載置台に搭載して使用するときは、商用電源から前記第三の電源接続コネクタ、第四の電源接続コネクタ、および、第二の電源接続コネクタを介して入力された電力を用いて前記インバータ実装回路を駆動することを特徴とする電磁誘導加熱調理器。
【請求項２】
請求項１に記載の電磁誘導加熱調理器において、
前記第一の電圧の電力は、商用１００Ｖ電源から供給され、前記第二の電圧の電力は、商用２００Ｖ電源から供給されることを特徴とする電磁誘導加熱調理器。
【請求項３】
請求項２に記載の電磁誘導加熱調理器において、さらに、
前記第一の電源接続コネクタと前記第二の電源接続コネクタの電圧を検出する電源電圧検出手段と、
前記第一の電源接続コネクタに接続された第一のリレーと、
前記第二の電源接続コネクタに接続された第二のリレーと、
前記第一のリレーと前記第二のリレーの出力側に接続された整流回路と、を備え、
前記電源電圧検出手段の検出結果に応じて前記第一のリレーと前記第二のリレーを切替えることを特徴とする電磁誘導加熱調理器。
【請求項４】
請求項３に記載の電磁誘導加熱調理器において、さらに、
前記第二の電源接続コネクタの一方の出力端子と前記整流回路の一方の入力端子の間に設けたリアクタと、
前記整流回路の出力端子間に設けた第一のコンデンサと第二のコンデンサの直列回路と、
前記第一のコンデンサと前記第二のコンデンサの接続点と前記整流回路の他方の入力端子の間に設けられた第三のリレーと、
を具備することを特徴とする電磁誘導加熱調理器。
【請求項５】
請求項３に記載の電磁誘導加熱調理器において、
前記第一の電源電圧検出手段が前記第一の電源接続コネクタと前記第二の電源接続コネクタの両方への電力の入力を検出したときには、前記第一のリレーと前記第二のリレーの両方をオフにすることを特徴とする電磁誘導加熱調理器。
【請求項６】
請求項１から請求項５何れか一項に記載の電磁誘導加熱調理器において、
前記ＩＨユニットには複数の加熱コイルが設けられており、
前記第一の電力入力部から電力供給を受けるときに使用可能な加熱コイルの数は、前記第二の電力入力部から電力供給を受けるときに使用可能な加熱コイルの数よりも少ないか、
前記第一の電力入力部から電力供給を受けるときの前記加熱コイルの最大火力は、前記第二の電力入力部から電力供給を受けるときの前記加熱コイルの最大火力より小さい
ことを特徴とする電磁誘導加熱調理器。
【請求項７】
ＩＨコイルユニットと、ＩＨインバータユニットと、ＩＨユニット載置台からなる電磁誘導加熱調理器において、
前記ＩＨコイルユニットは、トッププレートと、該トッププレートの下方に設けられた加熱コイルと、高周波電流が入力される第一の接続端子と、を有し、
前記ＩＨインバータユニットは、電力が入力される第一の電源接続コネクタと、高周波電流を供給するインバータ実装回路と、高周波電流を出力する第二の接続端子と、を有し、
ＩＨユニット載置台は、商用電源から電力が入力される第二の電源接続コネクタと、前記第一の電源接続コネクタに電力を出力する第三の電源接続コネクタと、を有し、
前記ＩＨコイルユニットを前記ＩＨユニット載置台から分離して使用するときは、高周波電流を供給するインバータ回路部を備えた電源ケーブルから前記第一の接続端子に供給される高周波電流で前記加熱コイルを駆動し、
前記ＩＨコイルユニットを前記ＩＨユニット載置台に搭載して使用するときは、前記第二の接続端子から前記第一の接続端子に供給される高周波電流で前記加熱コイルを駆動することを特徴とする電磁誘導加熱調理器。
【発明の詳細な説明】
【技術分野】
【０００１】
本発明は、電磁誘導加熱調理器に関し、特に、容易に取り外して持ち運べることができ、卓上や屋外などでも使用可能な電磁誘導加熱調理器に関するものである。
【背景技術】
【０００２】
火を使わずに鍋などの被加熱物を加熱するインバータ方式の電磁誘導加熱装置が広く用いられるようになってきている。家庭で使われる誘導加熱としてはＩＨクッキングヒータがある。
【０００３】
ＩＨクッキングヒータは、鍋を載置するトッププレートの下部に加熱コイルを備えており、その加熱コイルに高周波電流を流し、金属製の鍋に渦電流を発生させ、鍋自体の電気抵抗により鍋自体を発熱させる。システムキッチンに設置するビルトイン式や据え置き式のＩＨクッキングヒータは製品重量が重く、専用の２００Ｖ商用電源を使用しているため、取り外して別の場所で使用することができない問題がある。
【０００４】
このような問題を解決する従来例として、特許文献１に開示されるような加熱調理器具がある。すなわち、同文献の図１７や図１８などに示されるように、可搬可能な卓上用の電磁調理器を、キッチンでも使用するときには、電磁調理器用載置台に載置する構成が知られている。
【先行技術文献】
【特許文献】
【０００５】
【特許文献１】特開２０１５−１５９０２６号公報
【発明の概要】
【発明が解決しようとする課題】
【０００６】
しかしながら、特許文献１の電磁調理器は、同文献の段落００９９などに示されるように、キッチンで使用するときであっても、卓上で使用するときであっても、２００Ｖの商用電源を使用する必要があり、２００Ｖの商用電源が設けられていない場所ではこの電磁調理器を使用できないという問題があった。
【０００７】
本発明は、上述した問題点を解決し、キッチンで使用する場合には、商用電源２００Ｖを使用して大火力調理、または、複数鍋の同時調理に対応するとともに、キッチン以外の場所で使用する場合には、商用電源１００Ｖを使用して複数鍋の同時調理に対応できる電磁誘導加熱調理器を提供することである。
【課題を解決するための手段】
【０００８】
上記課題を解決するため、本発明による電磁誘導加熱調理器は、ＩＨユニットと、ＩＨユニット載置台からなる電磁誘導加熱調理器において、前記ＩＨユニットは、トッププレートと、該トッププレートの下方に設けられた加熱コイルと、該加熱コイルに高周波電流を供給するインバータ実装回路と、商用電源から第一の電圧の電力が入力される第一の電源接続コネクタと、第二の電圧の電力が入力される第二の電源接続コネクタと、を有し、前記ＩＨユニット載置台は、商用電源から第二の電圧の電力が入力される第三の電源接続コネクタと、前記第二の電源接続コネクタに第二の電圧の電力を出力する第四の電源接続コネクタと、を有し、前記ＩＨユニットを前記ＩＨユニット載置台から分離して使用するときは、商用電源から前記第一の電源接続コネクタを介して入力された電力を用いて前記インバータ実装回路を駆動し、前記ＩＨユニットを前記ＩＨユニット載置台に搭載して使用するときは、商用電源から前記第三の電源接続コネクタ、第四の電源接続コネクタ、および、第二の電源接続コネクタを介して入力された電力を用いて前記インバータ実装回路を駆動する。
【発明の効果】
【０００９】
本発明によれば、使用する電源電圧に応じて電源を切替えることで、様々な場所に持ち運び調理をすることができる電磁誘導加熱調理器を提供することである。
【図面の簡単な説明】
【００１０】
【図１】実施例１の電磁誘導加熱調理器の構成図である。
【図２】実施例１の電磁誘導加熱調理器の外観構造図である。
【図３】実施例１の１００Ｖ電源ケーブル図である。
【図４】実施例１の電磁誘導加熱調理器の内部構造図である。
【図５】実施例１の電磁誘導加熱調理器の電源電圧切り替え回路の構成図である。
【図６】実施例２の電磁誘導加熱調理器の回路構成図である。
【図７】実施例３の電磁誘導加熱調理器の断面構成図である。
【図８】実施例３の電磁誘導加熱調理器の構成図である。
【図９】実施例３の電磁誘導加熱調理器の外界構成図である。
【図１０】実施例３の電磁誘導加熱調理器のインバータ回路付電源ケーブル図である。
【図１１】実施例３の電磁誘導加熱調理器の回路構成図である。
【発明を実施するための形態】
【００１１】
以下、図面を用いながら本発明の実施例を説明する。
【実施例１】
【００１２】
図１は、実施例１における電磁誘導加熱調理器の構成図である。トッププレート１１とＩＨ回路ユニット１２から構成されるＩＨユニット１は、オーブングリル３と電源コネクタ４を備えたＩＨユニット載置台２に搭載して使用することもできるし、ＩＨユニット載置台２から分離して使用することもできるようになっている。なお、トッププレート１１の奥側に設けられた排気口１１ａは後述する加熱コイル１７〜１９を冷却し温度が上昇した風の出口であり、また、ＩＨユニット載置台２の上面に設けられた電源コネクタ４はＩＨユニット載置台２のオーブングリル３等に供給される商用２００Ｖを分岐した商用２００Ｖを出力するものである。
【００１３】
図２はＩＨユニット１を下方から見た斜視図である。ここに示すように、ＩＨユニット１の底面部には商用２００Ｖが入力される２００Ｖ電源接続コネクタ１３が設けられ、ＩＨユニット１をＩＨユニット設置台２に設置すると、２００Ｖ電源接続コネクタ１３がＩＨユニット載置台２の電源コネクタ４に接続される構成となっている。
【００１４】
また、ＩＨユニット１の背面部には商用１００Ｖが入力される１００Ｖ電源接続コネクタ１４が設けられており、ＩＨユニット１をＩＨユニット設置台２から取り外して使用する場合には、図３に示すような一般的な１００Ｖ電源ケーブル１６を１００Ｖ電源接続コネクタ１４に接続して使用することができる。
【００１５】
図４にＩＨユニット１の内部構造を示す。ＩＨ回路ユニット１２の側面には、吸気口１５が設けられ、その内側に図示しない冷却ファンを設け、冷却ファンから出た冷却風で内部を冷却する。ＩＨ回路ユニット１２の内部には、トッププレート１１に載置された鍋を誘導加熱する加熱コイル１７〜１９と、それぞれに高周波電流を供給するインバータ実装回路２０〜２２を備えており、インバータ実装回路２０〜２２はインバータ回路基板２３に搭載されている。また、ＩＨ回路ユニット１２の内部には、２００Ｖ電源接続コネクタ１３と１００Ｖ電源接続コネクタ１４を切り替える電源切替回路２４が設けられている。
【００１６】
次に、図５を用いて電源切替回路２４の回路構成を説明する。ここに示すように、インバータ実装回路２０はインバータ３２とダイオードブリッジ３１（整流回路）を有しており、また、電源切替回路２４は、電源電圧検出回路３４、リレー３５、リレー３６を有している。
【００１７】
ＩＨユニット１をＩＨユニット載置台２に搭載して使用するときは、２００Ｖ商用電源３０がリレー３５を介してダイオードブリッジ３１に接続され、この出力端子にインバータ３２が接続される。
【００１８】
一方、ＩＨユニット１をＩＨユニット載置台２から分離して使用するときは、１００Ｖ商用電源３３がリレー３６を介してダイオードブリッジ３１に接続され、この出力端子にインバータ３２が接続される。
【００１９】
電源電圧検出回路３４は何れの電源からの入力があるかを監視しており、接続された商用電源に応じて電源電圧を検出しリレー３５、３６のオンオフを切り替える。すなわち、２００Ｖ商用電源３０が接続された場合は、リレー３５をオン、リレー３６をオフにして、２００Ｖ商用電源３０をダイオードブリッジ３１に供給する。一方、１００Ｖ商用電源３３が接続された場合には、リレー３５をオフ、リレー３６をオンにして、１００Ｖ用電源３３をダイオードブリッジ３１に供給する。
【００２０】
この回路構成により、ＩＨユニット１をＩＨユニット載置台２に搭載し、商用２００Ｖから電源供給を受けるときには、複数の加熱コイルそれぞれを同時に大火力で使用することができる。一方、ＩＨユニット１をＩＨユニット載置台２から分離し、商用１００Ｖから電源供給を受けるときには、複数の加熱コイルそれぞれの火力を制限することで、複数の加熱コイルを同時に使用することができる。あるいは、同時に使用する加熱コイルの数を制限することで、使用を許可した加熱コイルを大火力で使用できるようにする。すなわち、使用電源に応じて加熱コイルの制御を切り替えることで、使用場所に拘らず、複数鍋を同時に加熱できる電磁誘導加熱調理器を得ることができる。
【００２１】
なお、２００Ｖ商用電源３０と１００Ｖ商用電源３３が同時に接続された場合には、リレー３５、３６両方をオフにすることで、２００Ｖ商用電源３０と１００Ｖ商用電源３３の短絡を避け、家屋のブレーカが落ちるなどの問題を回避することができる。
【００２２】
以上のように、本実施例のＩＨユニット１は、１００Ｖ電源接続コネクタと２００Ｖ電源接続コネクタを備えることで、システムキッチンなどに搭載して使用する場合は２００Ｖ電源を使い大火力で調理することができる。また、ＩＨユニット１を取り外して、卓上や屋外などの１００Ｖ電源設備のみの場所においても調理することができる。
【００２３】
なお、本実施例では、吸気口１５をＩＨ回路ユニット１２の側面に設けたが、前面または背面に設けても良いし、トッププレート１１の奥側に吸気口１５を設けるとともに、ＩＨ回路ユニット１２の側面、前面、背面の何れかに排気口１１ａを設ける構成としても良い。
【実施例２】
【００２４】
次に、図６を用いて、実施例２の電磁誘導加熱調理器を説明する。なお、本実施例は、実施例１の図５に示した回路構成に代え、図６に示す回路構成を用いるものであり、その他の点は実施例１と共通するので、共通点については説明を省略する。
【００２５】
実施例２の電磁誘導加熱調理器１の回路構成は、２００Ｖ商用電源３０からリレー３５に接続され、リレー３５の一方の端子にリアクトルＬ０を介してダイオードブリッジ３１のａ点に接続され、リレー３５の他方の端子はダイオードブリッジ３１のｂ点に接続される。ダイオードブリッジ３１の出力のｐｎ間にはコンデンサＣ１とコンデンサＣ２の直列回路を接続し、コンデンサＣ１とコンデンサＣ２の接続点とｂ点間にリレー３７を接続される。さらに１００Ｖ商用電源３３からリレー３６に接続され、リレー３６の出力端子は、リレー３５とリアクトルＬ０の接続点とダイオードブリッジ３１のｂ点に接続される構成である。
【００２６】
動作を説明する。２００Ｖ商用電源３０が接続された場合は、リレー３５をオン、リレー３６、リレー３７をオフとし、全波整流モードで動作する。２００Ｖ商用電源３０の正電圧期間（ダイオードブリッジ３１のａ点に正電圧が印加される期間）においては、２００Ｖ商用電源３０からリレー３５を介してリアクトルＬ０、ダイオードブリッジ３１のａ点を通り、コンデンサＣ１、Ｃ２の直列回路、ダイオードブリッジ３１のｂ点、リレー３５を通って、２００Ｖ商用電源３０に電流が流れる。これによりインバータの入力電圧は２００Ｖ商用電源３０が印加されることになる。負電圧期間（ダイオードブリッジ３１のａ点に負電圧が印加される期間）においては、２００Ｖ商用電源３０からリレー３５を介してダイオードブリッジ３１のｂ点を通り、コンデンサＣ１、Ｃ２の直列回路、ダイオードブリッジ３１のａ点、リアクトルＬ０、リレー３５を通って、２００Ｖ商用電源３０に電流が流れる。これによりインバータ３２の入力電圧は２００Ｖ商用電源３０が印加される。
【００２７】
一方、１００Ｖ商用電源３３が接続された場合には、リレー３５をオフ、リレー３６、リレー３７をオンとし、倍電圧整流モードで動作する。１００Ｖ商用電源３３の正電圧期間においては、１００Ｖ商用電源３３からリレー３６、リアクトルＬ０を介してダイオードブリッジ３１のａ点を通り、コンデンサＣ１、リレー３７、ダイオードブリッジ３１のｂ点、リレー３６を通って、１００Ｖ商用電源３３に電流が流れ、コンデンサＣ１に１００Ｖ商用電源３３の電圧が充電される。次に負電圧期間になると、１００Ｖ商用電源３３からリレー３６を介してダイオードブリッジ３１のｂ点、リレー３８を通り、リレー３７、コンデンサＣ２、ダイオードブリッジ３１のａ点、リアクトルＬ０、リレー３６を通って、１００Ｖ商用電源３３に電流が流れ、コンデンサＣ２に１００Ｖ商用電源３３の電圧が充電される。
【００２８】
これによりｐｎ間電圧はコンデンサＣ１とコンデンサＣ２の合計電圧となり、インバータ３２の入力電圧は１００Ｖ商用電源３３の２倍の電圧が印加されることになる。つまり、２００Ｖ商用電源３０または１００Ｖ商用電源が接続されてもインバータには常に同じ電圧が印加されるため、インバータ３２は入力商用電源に依存することなく安定に動作できる。
【実施例３】
【００２９】
次に、図７から図１１を用いて、実施例３の電磁誘導加熱調理器を説明する。本実施例の電磁誘導加熱調理器は、実施例１のＩＨユニット１を、着脱可能なＩＨコイルユニット１００と、ＩＨユニット設置台２と一体に構成したＩＨインバータユニット１０１に分離したものである。
なお、実施例１と共通する点は説明を省略する。
【００３０】
図７は、実施例３における電磁誘導加熱調理器の内部構成図、図８は電磁誘導加熱調理器の構成図、図９はＩＨコイルユニット１００の外観構造図である。
【００３１】
図７に示すように、ＩＨコイルユニット１００の内部には、トッププレート１１の下方に加熱コイル１７〜１９を設け、底面部にＩＨインバータユニット１０１と接続するための高周波電流入力端子４０〜４２を設けている。さらにＩＨコイルユニット１００を取り外して使用する場合に電源を供給するための接続端子が設けられている（図示せず）。
【００３２】
図８は電磁誘導調理器の構成図を示している。ＩＨユニット設置台２にはＩＨインバータユニット１０１が設置されている。図９は電磁誘導加熱調理器の外観構造図を示す。ＩＨコイルユニット１００の底面部にＩＨインバータユニット１０１と接続するための高周波電流入力端子４０〜４２が設けられている。さらにＩＨコイルユニット１００を取り外した使用する場合に電源を供給するためのインバータ接続端子４３〜４５がＩＨコイルユニット１００の側面部に設けられている。
【００３３】
図１０はＩＨコイルユニット１００を取り外したときに加熱コイル１７〜１９に高周波電流を供給するためのインバータ回路部５１を備えた電源ケーブル５０である。インバータ回路部５１は３つのインバータが備えられており、各出力端子をＩＨコイルユニット１００の高周波電流入力端子４０〜４２に接続することで各加熱コイル１７〜１９に高周波電流を供給することができる。図１１に回路構成図を示す。２００Ｖ商用電源３０からインバータ実装回路２０〜２２に接続され、インバータ実装回路２０〜２２の出力が接続端子を介して加熱コイル１７〜１９に接続される。一方、ＩＨコイルユニット１００を切り離して使用する場合は、１００Ｖ商用電源３３からインバータ回路部５１に接続し、インバータ回路部５１の３つの出力端子をＩＨコイルユニット１００の高周波電流入力端子４０〜４２に接続する。
【００３４】
ＩＨインバータユニット１０１を切り離して取り外すことで、ＩＨコイルユニット１００の軽量化が図られ、容易に取り外すことができ手軽に持ち運びが可能になる。
【００３５】
以上の実施例１から実施例３では加熱コイル数３つまでの形態を説明したが、３つ以上の加熱コイルにおいても加熱コイルと同数の回路構成とすることで、複数の加熱コイルでも同様の効果を得ることができる。
【符号の説明】
【００３６】
１  ＩＨユニット、１００  ＩＨコイルユニット、２  ＩＨユニット設置台、３  オーブングリル、４  電源コネクタ、１１  トッププレート、１１ａ  排気口、１２  ＩＨ回路ユニット、１３  ２００Ｖ電源接続コネクタ、１４  １００Ｖ電源接続コネクタ、１５  吸気口、１６  １００Ｖ電源ケーブル、１７、１８、１９  加熱コイル、２０、２１、２２  インバータ実装回路、２３  インバータ回路基板、２４  電源切替回路、３０  ２００Ｖ商用電源、３１  ダイオードブリッジ、３２  インバータ、３３  １００Ｖ商用電源、３４  電源電圧検出回路、３５、３６、３７  リレー、４０、４１、４２  高周波電流入力端子、４３、４４、４５  インバータ接続端子、５１  インバータ回路部、１０１  ＩＨインバータユニット、Ｌ０  リアクタ、Ｃ１、Ｃ２  コンデンサ
【図１】
2018006287.tif 000003
【図２】
2018006287.tif 000004
【図３】
2018006287.tif 000005
【図４】
2018006287.tif 000006
【図５】
2018006287.tif 000007
【図６】
2018006287.tif 000008
【図７】
2018006287.tif 000009
【図８】
2018006287.tif 000010
【図９】
2018006287.tif 000011
【図１０】
2018006287.tif 000012
【図１１】
2018006287.tif 000013